(57)【要約】【課題】  鋏の枢軸装置の提供。【解決手段】  二つの鋏エレメントと枢軸装置を具え、該二つの鋏エレメントに該鋏エレメントを貫通する埋頭孔が設けられ、該枢軸装置にボルトとナットが設けられ、該ボルトはネジ部と頭部を具え、該ナットはロッド部と拡大されたストッパブロックを具え、並びにネジ孔が該ロッド部と該ストッパブロックを通過するように延伸されている。該ナットのストッパブロックはそのうち一つの鋏エレメントの埋頭孔のストッパ部中に収容され、該ナットのロッド部は即ちもう一つの鋏エレメントの埋頭孔中に進入する。該ボルトのネジ部は該ナットのネジ孔と螺合する。該ストッパブロックと該ストッパ部は外周面が非円形の形状で嵌合され、該ボルトと該ナットが弛まない。【選択図】        図３
2006305221.tif 000002
【特許請求の範囲】
【請求項１】
第１鋏エレメントと、
第２鋏エレメントと、
回転不能な位置決め方式で該第１鋏エレメントに接続されたナットと、
該第２鋏エレメント、該第１鋏エレメントを貫通し、更に該ナットと螺合して第１鋏エレメントと第２鋏エレメントを枢設するボルトと、
を包含したことを特徴とする、鋏。
【請求項２】
請求項１記載の鋏において、第１鋏エレメントが埋頭孔を具え、該埋頭孔がストッパ部を具え、該ナットがストッパブロックを具え、該ストッパブロックが第１鋏エレメントの埋頭孔のストッパ部中に収容されることを特徴とする、鋏。
【請求項３】
請求項２記載の鋏において、ストッパブロックとストッパ部の接合が、非円形の外周面の嵌合によることを特徴とする、鋏。
【請求項４】
請求項３記載の鋏において、第２鋏エレメントが埋頭孔を具え、ボルトの通過と該ボルトの頭部の収容に供されることを特徴とする、鋏。
【請求項５】
請求項１記載の鋏において、第１鋏エレメントが埋頭孔を具え、該第１鋏エレメントの埋頭孔が小部を具え、ナットがロッド部を具え、該ロッド部が該第１鋏エレメントの埋頭孔の小部に収容されることを特徴とする、鋏。
【請求項６】
請求項５記載の鋏において、ロッド部と第１鋏エレメントの埋頭孔の小部の接合が非円形の外周面の嵌合によることを特徴とする、鋏。
【請求項７】
請求項６記載の鋏において、第２鋏エレメントがボルトの通過とボルトの頭部の収容に供される埋頭孔を具えたことを特徴とする、鋏。
【請求項８】
埋頭孔を具え、該埋頭孔がストッパ部を包含する第１鋏エレメントと、
第２鋏エレメントと、
第１鋏エレメントの埋頭孔のストッパ部に収容されるストッパブロックを具え、該ストッパブロックとストッパ部の接合が、非円形の外周面の嵌合によるナットと、
第２鋏エレメント、第１鋏エレメントの埋頭孔を貫通し、更にナットと螺合されて第１鋏エレメントと第２鋏エレメントを枢設するボルトと、
を包含したことを特徴とする、鋏。
【請求項９】
請求項８記載の鋏において、第２鋏エレメントがボルトの通過とボルトの頭部の収容に供される埋頭孔を具えたことを特徴とする、鋏。
【請求項１０】
埋頭孔を具え、該埋頭孔が小部を包含する第１鋏エレメントと、
第２鋏エレメントと、
第１鋏エレメントの埋頭孔の小部に収容されるロッド部を具え、該ロッド部と該小部の接合が、非円形の外周面の嵌合によるナットと、
第２鋏エレメント、第１鋏エレメントの埋頭孔を貫通し、更にナットと螺合されて第１鋏エレメントと第２鋏エレメントを枢設するボルトと、
を包含したことを特徴とする、鋏。
【請求項１１】
請求項１０記載の鋏において、第２鋏エレメントがボルトの通過とボルトの頭部の収容に供される埋頭孔を具えたことを特徴とする、鋏。
【発明の詳細な説明】
【技術分野】
【０００１】
本発明は一種の鋏の枢軸装置に関する。
【背景技術】
【０００２】
図１、２は周知の鋏Ａを示し、それは第１鋏エレメント１００及び第２鋏エレメント２００を具えている。第１鋏エレメント１００及び第２鋏エレメント２００はボルト３００とナット４００で構成された枢軸装置で枢設されている。図２に示されるように、該第１鋏エレメント１００は該第１鋏エレメント１００を貫通する貫通孔１０１を具えている。さらに、該第２鋏エレメント２００は第２鋏エレメント２００を貫通する埋頭孔２０１を具えている。該埋頭孔２０１は第１鋏エレメント１００の貫通孔１０１に対向する小径部２０２と、該小径部２０２より大きい大径部２０３を具えている。
【０００３】
該ボルト３００は埋頭孔２０１の小径部２０２及び第１鋏エレメント１００の貫通孔１０１を貫通した後、ナット４００と螺合され、該ボルト３００の頭部３０２は該埋頭孔２０１の大径部２０３に収容される。
【発明の開示】
【発明が解決しようとする課題】
【０００４】
上述の周知の鋏の枢軸装置は弛む場合がある。即ち、鋏Ａを使用する時に、該第１鋏エレメント１００及び第２鋏エレメント２００が相対回転してボルト３００を駆動し回転させると、ナット４００が係止されていないため、ボルト３００とナット４００の両者が弛み、分離することがある。
【０００５】
また、ナット４００が第１鋏エレメント１００の外壁面に当接して干渉を形成し、鋏Ａの第１鋏エレメント１００、第２鋏エレメント２００の開閉動作を妨害しうる。
さらに、該ボルト３００とナット４００の螺合は、先ず手指でナット４００を押さえて固定しなければボルト３００とナット４００を接合させられず、第１鋏エレメント１００と第２鋏エレメント２００の枢設作業に時間と手間がかかる。
【課題を解決するための手段】
【０００６】
請求項１の発明は、第１鋏エレメントと、
第２鋏エレメントと、
回転不能な位置決め方式で該第１鋏エレメントに接続されたナットと、
該第２鋏エレメント、該第１鋏エレメントを貫通し、更に該ナットと螺合して第１鋏エレメントと第２鋏エレメントを枢設するボルトと、
を包含したことを特徴とする、鋏としている。
請求項２の発明は、請求項１記載の鋏において、第１鋏エレメントが埋頭孔を具え、該埋頭孔がストッパ部を具え、該ナットがストッパブロックを具え、該ストッパブロックが第１鋏エレメントの埋頭孔のストッパ部中に収容されることを特徴とする、鋏としている。
請求項３の発明は、請求項２記載の鋏において、ストッパブロックとストッパ部の接合が、非円形の外周面の嵌合によることを特徴とする、鋏としている。
請求項４の発明は、請求項３記載の鋏において、第２鋏エレメントが埋頭孔を具え、ボルトの通過と該ボルトの頭部の収容に供されることを特徴とする、鋏としている。
請求項５の発明は、請求項１記載の鋏において、第１鋏エレメントが埋頭孔を具え、該第１鋏エレメントの埋頭孔が小部を具え、ナットがロッド部を具え、該ロッド部が該第１鋏エレメントの埋頭孔の小部に収容されることを特徴とする、鋏としている。
請求項６の発明は、請求項５記載の鋏において、ロッド部と第１鋏エレメントの埋頭孔の小部の接合が非円形の外周面の嵌合によることを特徴とする、鋏としている。
請求項７の発明は、請求項６記載の鋏において、第２鋏エレメントがボルトの通過とボルトの頭部の収容に供される埋頭孔を具えたことを特徴とする、鋏としている。
請求項８の発明は、埋頭孔を具え、該埋頭孔がストッパ部を包含する第１鋏エレメントと、
第２鋏エレメントと、
第１鋏エレメントの埋頭孔のストッパ部に収容されるストッパブロックを具え、該ストッパブロックとストッパ部の接合が、非円形の外周面の嵌合によるナットと、
第２鋏エレメント、第１鋏エレメントの埋頭孔を貫通し、更にナットと螺合されて第１鋏エレメントと第２鋏エレメントを枢設するボルトと、
を包含したことを特徴とする、鋏としている。
請求項９の発明は、請求項８記載の鋏において、第２鋏エレメントがボルトの通過とボルトの頭部の収容に供される埋頭孔を具えたことを特徴とする、鋏としている。
請求項１０の発明は、埋頭孔を具え、該埋頭孔が小部を包含する第１鋏エレメントと、  第２鋏エレメントと、
第１鋏エレメントの埋頭孔の小部に収容されるロッド部を具え、該ロッド部と該小部の接合が、非円形の外周面の嵌合によるナットと、
第２鋏エレメント、第１鋏エレメントの埋頭孔を貫通し、更にナットと螺合されて第１鋏エレメントと第２鋏エレメントを枢設するボルトと、
を包含したことを特徴とする、鋏としている。
請求項１１の発明は、請求項１０記載の鋏において、第２鋏エレメントがボルトの通過とボルトの頭部の収容に供される埋頭孔を具えたことを特徴とする、鋏としている。
【発明の効果】
【０００７】
本発明によると、ストッパブロックの外周面とストッパ部の外周面の非円形の形状の接合の利用により、ナットが第１鋏エレメントの埋頭孔中に係止されて回転不能とされ、第１鋏エレメント、第２鋏エレメントのカッティングの回転運動時に、該ボルトと該ナットが摺動せず、ボルト及び又はナットの弛み、脱落が発生しない。ゆえに信頼できる枢軸装置が提供される。
【０００８】
該ナットは第１鋏エレメントの埋頭孔中に収容されるため、完全に第１鋏エレメント、第２鋏エレメントの開閉のカッティング動作に干渉せず、鋏の操作使用が非常に順調となる。
【０００９】
該ナットは第１鋏エレメントの埋頭孔中に固定され、別に施力して該ナットを固定する必要がなく、即時ボルトをナットに螺合でき、これにより第１鋏エレメントと第２鋏エレメントの枢設動作が楽に、快速に行なえる。
【発明を実施するための最良の形態】
【００１０】
本発明の実施例によると、本発明の提供する鋏は第１鋏エレメント、第２鋏エレメント、及び該第１鋏エレメントと第２鋏エレメントを枢設するための枢軸装置を具えている。該第１鋏エレメントは第１鋏エレメントを貫通する埋頭孔を具えている。該第１鋏エレメントの埋頭孔は第２鋏エレメントから遠く離れた大きなストッパ部、及び、第２鋏エレメントに対向しストッパ部より小さい小部を具え、該ストッパ部の外周面は非円形の形状とされる。
【００１１】
該第２鋏エレメントは該第２鋏エレメントを貫通する埋頭孔を具えている。該第２鋏エレメントの埋頭孔は第１鋏エレメントより遠く離れた大部と、大部より小さく第１鋏エレメントに対向し第１鋏エレメントの埋頭孔の小部に整合する小部を具えている。
【００１２】
該枢軸装置はボルトとナットを具えている。該ボルトはネジ部と頭部を具えている。該ナットはロッド部と拡大されたストッパブロックを具え、並びにネジ孔が該ナットのロッド部とストッパブロックを貫通するよう延伸され、該ストッパブロックの外周面はストッパ部の外周面の非円形の形状と同じであり、該ストッパ部の外周面と嵌合する。
【００１３】
該ナットは第１鋏エレメントの埋頭孔中に収容され、該ナットのストッパブロックは第１鋏エレメントの埋頭孔の対応するストッパ部中に収容され、該ロッド部は該第１鋏エレメントの埋頭孔の小部及び第２鋏エレメントの埋頭孔の小部を貫通する。
【００１４】
該ボルトのネジ部は該ナットのネジ孔と螺合し、該ボルトの頭部は第２鋏エレメントの埋頭孔の大部中に収容される。
【実施例１】
【００１５】
図３から図７に示されるように、本発明の実施例の提供する鋏Ｂは第１鋏エレメント１０、第２鋏エレメント２０、及び該第１鋏エレメント１０と第２鋏エレメント２０を枢設するための枢軸装置を具えている。
【００１６】
該第１鋏エレメント１０は第１鋏エレメント１０を貫通する埋頭孔１１を具えている。該第１鋏エレメント１０の埋頭孔１１は第２鋏エレメント２０から遠く離れた大きなストッパ部１２、及び、第２鋏エレメント２０に対向しストッパ部１２より小さい小部１３を具え、該ストッパ部１２の外周面形状は、非円形、例えば三角形、四角形等の多角形或いは楕円形の形状とされ、図７に示されるストッパ部１２の外周面形状は楕円形を呈し、これはその一例である。
【００１７】
第２鋏エレメント２０も該第２鋏エレメント２０を貫通する埋頭孔２１を具えている。該第２鋏エレメント２０の埋頭孔２１は第１鋏エレメント１０より遠く離れた大部２２と、大部２２より小さく第１鋏エレメント１０に対向し第１鋏エレメント１０の埋頭孔１１の小部１３に整合する小部２３を具えている。
【００１８】
該枢軸装置はボルト３０とナット４０を具えている。該ボルト３０はネジ部３１と頭部３２を具えている。該ナット４０はロッド部４１と拡大されたストッパブロック４２を具え、並びにネジ孔４３が該ナット４０のロッド部４１とストッパブロック４２を貫通するよう延伸され、該ストッパブロック４２の外周面はストッパ部１２の外周面の形状と同じとされて非円形の形状とされ、該ストッパブロック４２は該ストッパ部１２の外周面と嵌合され、これは図７に示されるとおりである。
【００１９】
組合せ時には、該ナット４０が第１鋏エレメント１０の埋頭孔１１中に収容され、該ナット４０のストッパブロック４２は第１鋏エレメント１０の埋頭孔１１の対応するストッパ部１２中に収容され、且つロッド部４１が第１鋏エレメント１０の埋頭孔１１の小部１３及び第２鋏エレメント２０の埋頭孔２１の小部２３を貫通する。次に、ボルト３０のネジ部３１は該ナット４０のネジ孔４３と螺合し、該ボルト３０の頭部３２は第２鋏エレメント２０の埋頭孔２１の大部２２中に収容される。該ボルト３０の頭部３２は割り溝３３を具え、使用者がネジ回し或いは類似物でボルト３０を駆動するのに供される。
【００２０】
図６、７に示されるように、該ストッパブロック４２とストッパ部１２の接合には外周面の非円形の嵌合方式が採用され、ナット４０が第１鋏エレメント１０の埋頭孔１１中に係止且つ収容されて回転不能とされる。これにより、第１鋏エレメント１０、第２鋏エレメント２０のカッティングの回転運動時に、該ボルト３０と該ナット４０が移動を発生せず、ボルト３０及び又はナット４０の弛みと脱落が防止される。
【００２１】
さらに、ナット４０が第１鋏エレメント１０の埋頭孔１１中に係止、収容されているため、ナット４０が第１鋏エレメント１０、第２鋏エレメント２０の開閉のカッティング動作に干渉せず、鋏の操作使用が非常に順調となる。
【００２２】
並びに該ナット４０は第１鋏エレメント１０の埋頭孔１１中に固定され、手指でナット４０を固定しなくともボルト３０をナット４０に螺合でき、これにより第１鋏エレメント１０と第２鋏エレメント２０の枢設動作が楽に、快速に行なえる。
【実施例２】
【００２３】
図８、９に示されるのは本発明の別の実施例であり、前述の図３から図７に示される構造とほぼ同様であるが、異なるところは、外周面形状が非円形とされた接続方式が、ナット４０のロッド部４１と第１鋏エレメント１０の埋頭孔１１の対応する小部１３との結合に改められ、同様にナット４０を係止して回転不能とする効果を達成する。
【図面の簡単な説明】
【００２４】
【図１】周知の鋏の立体図である。
【図２】周知の鋏の枢軸装置の断面図である。
【図３】本発明の鋏の立体分解図である。
【図４】本発明の鋏の立体図である。
【図５】本発明の鋏の枢軸装置の拡大立体分解図である。
【図６】本発明の鋏の枢軸装置の断面図である。
【図７】本発明の部分組合せ平面図である。
【図８】本発明の別の実施例の鋏の立体分解図である。
【図９】本発明の鋏の枢軸装置の別の実施例の拡大立体分解図である。
【符号の説明】
【００２５】
１００  第１鋏エレメント        １０１  貫通孔
２００  第２鋏エレメント        ２０１  埋頭孔
２０２  小径部                  ２０３  大径部
３００  ボルト                  ３０１  ネジ部
３０２  頭部                    ４００  ナット
Ａ  鋏
１０  第１鋏エレメント          １１  埋頭孔
１２  ストッパ部                １３  小部
２０  第２鋏エレメント          ２１  埋頭孔
２２  大部                      ２３  小部
３０  ボルト                    ３１  ネジ部
３３  割り溝                    ４０  ナット
４１  ロッド部                  ４２  ストッパブロック
４３  ネジ孔                    Ｂ  鋏
【図１】
2006305221.tif 000003
【図２】
2006305221.tif 000004
【図３】
2006305221.tif 000005
【図４】
2006305221.tif 000006
【図５】
2006305221.tif 000007
【図６】
2006305221.tif 000008
【図７】
2006305221.tif 000009
【図８】
2006305221.tif 000010
【図９】
2006305221.tif 000011